(57)【要約】【課題】個別の撒餌籠を必要とせず、しかも釣り落とし、いわゆるバラシが少なく集魚効果も高い釣り具を提供する。【解決手段】本体１と姿勢制御機構２と仕掛け係止具７とを備え、本体１の頭部３は姿勢制御機構２の姿勢制御糸２１の一端と係止される係止リング３３を有し、本体１の胴部４はハッチ状に開閉可能とされた下半部４５と、姿勢制御機構２の姿勢制御用門型部材２２の下端部が係止される対向配置された透孔４４ａとを有し、姿勢制御用門型部材２２は、姿勢制御糸２１の他端と係止される係止リング２４を頂部に有し、姿勢制御糸２１の長さは、本体１と姿勢制御用門型部材２２とのなす角が直角となるように調整された釣り具Ｔである。【選択図】図２
2014042462.tif 000002
【特許請求の範囲】
【請求項１】
本体と姿勢制御機構と仕掛け係止具とを備え、
前記本体は、頭部と、中空とされた胴部と、水平翼と、垂直翼とを含み、
前記姿勢制御機構は、姿勢制御糸と、姿勢制御用門型部材とを含み、
前記頭部は、前記姿勢制御糸の一端と係止される係止部を有し、
前記胴部は、ハッチ状に開閉可能とされた下半部と、前記姿勢制御用門型部材の下端部が係止される対向配置された透孔とを有し、
前記姿勢制御用門型部材は、前記姿勢制御糸の他端と係止される係止部を頂部に有し、
前記姿勢制御糸の長さは、前記本体と前記姿勢制御用門型部材とのなす角が直角となるように調整され、
前記仕掛け係止具は、前記胴の後端に係合されてなる
ことを特徴とする釣り具。
【請求項２】
下半部の開閉をガイドするガイド部を有するガイド板と、前記ガイド部のガイド孔に挿通されるガイドロッドとが付設されてなることを特徴とする請求項１記載の釣り具。
【請求項３】
頭部の先端部が円錐台状とされてなることを特徴する請求項１記載の釣り具。
【請求項４】
水平翼が昇降蛇を有してなることを特徴する請求項１記載の釣り具。
【請求項５】
頭部が交換可能とされてなることを特徴する請求項１記載の釣り具。
【発明の詳細な説明】
【技術分野】
【０００１】
本発明は釣り具に関する。さらに詳しくは、個別の撒餌籠を必要とせず、しかも釣り落とし、いわゆるバラシが少なく集魚効果も高い釣り具に関する。
【背景技術】
【０００２】
従来より、娯楽の一種として釣り針を用いた釣りがさかんに行われている。この釣り針を用いた釣りにおける難点の一つに、釣りあげて手元まで来た魚が海や湖に落下する、いわゆるバラシがある。このバラシは、顎の弱い魚、例えばアジにおいて顕著である。
【０００３】
また、集魚効果を狙って撒餌籠に撒餌をいれて竿を上下させて撒餌をしながり釣ることもなされているが、期待した釣果が得られないこともある。
【０００４】
なお、水中翼を有する仕掛けについては、特許文献１に提案がなされている。
【先行技術文献】
【特許文献】
【０００５】
【特許文献１】特開２００８−２５９４８１号公報
【発明の開示】
【発明が解決しようとする課題】
【０００６】
本発明はかかる従来技術の課題に鑑みなされたものであって、個別の撒餌籠を必要とせず、しかも釣り落とし、いわゆるバラシが少なく集魚効果も高い釣り具を提供することを目的としている。
【課題を解決するための手段】
【０００７】
本発明の釣り具は、本体と姿勢制御機構と仕掛け係止具とを備え、前記本体は、頭部と、中空とされた胴部と、水平翼と、垂直翼とを含み、前記姿勢制御機構は、姿勢制御糸と、姿勢制御用門型部材とを含み、前記頭部は、前記姿勢制御糸の一端と係止される係止部を有し、前記胴部は、ハッチ状に開閉可能とされた下半部と、前記姿勢制御用門型部材の下端部が係止される対向配置された透孔とを有し、前記姿勢制御用門型部材は、前記姿勢制御糸の他端と係止される係止部を頂部に有し、前記姿勢制御糸の長さは、前記本体と前記姿勢制御用門型部材とのなす角が直角となるように調整され、前記仕掛け係止具は、前記胴の後端に係合されてなることを特徴とする。
【０００８】
本発明の釣り具においては、下半部の開閉をガイドするガイド部を有するガイド板と、前記ガイド部のガイド孔に挿通されるガイドロッドとが付設されてなるのが好ましい。
【０００９】
また、本発明の釣り具においては、頭部の先端部が円錐台状とされてなるのが好ましい。
【００１０】
また、本発明の釣り具においては、水平翼が昇降蛇を有してなるのが好ましい。
【００１１】
また、本発明の釣り具においては、頭部が交換可能とされてなるのが好ましい。
【発明の効果】
【００１２】
本発明の釣り具は、前記の如く構成されているので、胴の内部に撒餌を収納でき、撒餌籠を特段に設けることなく撒餌ができるという優れた効果を奏する。
【００１３】
また、本発明の釣り具においては、道糸を上方に移動させると、水平翼に作用する水圧により本体が横移動する。つまり、撒餌の流れの中で餌の付いた仕掛けが横移動するので、集魚効果が高いという優れた効果を奏する。
【図面の簡単な説明】
【００１４】
【図１】本発明の一実施形態に係る釣り具の正面図である。
【図２】同右側面図である。
【図３】同平面図である。
【図４】同背面図である。
【図５】姿勢制御用門型部材の概略図である。
【図６】仕掛け係止具の概略図である。
【図７】本体の動作説明図であって、斜め上方に移動している状態を示す。
【図８】本体の動作説明図であって、巻き上げられている状態を示す。
【図９】水平翼の変形例の概略図である。
【図１０】垂直翼の変形例の概略図である。
【発明を実施するための形態】
【００１５】
以下、添付図面を参照しながら本発明を実施形態に基づいて説明するが、本発明はかかる実施形態のみに限定されるものではない。
【００１６】
図１−４に、本発明の一実施形態に係る釣り具を示す。
【００１７】
釣り具Ｔは、図１−４に示すように、本体１と、本体１の姿勢を制御する姿勢制御機構２とを主要構成要素として備えてなるものとされる。
【００１８】
本体１はスペースシャトル状とされてなるものであって、頭部３と胴４と水平翼５と垂直翼６とを含むものとされる。
【００１９】
頭部３は金属からなるものとされ、錘としての機能を有し、円錐台状の前部３１と円柱状の後部３２とを含むものとされる。頭部３の先端には、後述する姿勢制御機構２の姿勢制御糸２１の一端が係止される係止リング３３が縦向きに装着されている。また、後端面の中心には頭部３を胴４にボルト留めするための雌ねじ穴(図示省略)が形成されている。
【００２０】
胴４は円筒状の中空体とされ、前部隔壁４１と胴本体４２と後部隔壁４３とを含むものとされる。また、胴４の材質は、金属または合成樹脂とされる。
【００２１】
前部隔壁４１は円板からなるものとされ、円板の中心に前記雌ねじ穴に対応した透孔(図示省略)が形成されている。
【００２２】
胴本体４２は上半部４４と下半部４５とからなるものとされ、上半部４４は前部隔壁４１と後部隔壁４３と一体化されている。
【００２３】
上半部４４中間部側面には、後述する姿勢制御機構２の姿勢制御用門型部材２２の下端が係止される所要数(図示例では５個)の透孔４４ａが所定ピッチで形成されている。
【００２４】
下半部４５は、前端部底部に設けられたヒンジ係合板４５ａが頭部３の後部３２底部に設けられたヒンジ係合部３４に差し込まれてヒンジ係合され、下半部４５がハッチ状に開閉可能とされている。かかる開閉を担保するため、上半部４４側面下端と下半部４５側面上端との間には所定の隙間が設けられるとともに、下半部４５後端と後部隔壁４３前面との間にも所定の隙間が設けられている。下半部４５の開く角度は、前記隙間を調整することによりなされる。つまり、隙間を調整することにより、下半部４５の後端部の角が後部隔壁４５内面と当接する位置が調整されて開き角度が調整される(図７参照)。
【００２５】
下半部４５の開閉をガイドするため、下半部４５後部底部にガイド板４６が設けられている。ガイド板４６は、図２，３に示すように、下半部４５後部底部に接合される接合部４６ａと、接合部４６ａ後端から一体的に斜め下方に折り曲げられたガイド部４６ｂとを含むものとされる。ガイド部４６ｂ中央には、下端から所定長さのガイド孔４６ｃが形成されている。ガイド孔４６ｃには、後部隔壁４３下部中心からに下方に延伸させて設けられたガイドロッド４７が挿通され、ガイドロッド４７により下半部４５の開閉がガイドされる。
【００２６】
後部隔壁４３は円板からなるものとされ、後部隔壁４３に仕掛け係止具７(図６参照)の基板７１をボルト・ナット留めするため、一対の透孔が中心振り分けに形成されている。
【００２７】
水平翼５は、例えばデルタ翼とされて上半部４４の透孔４４ａの下側において側面下端に接合されている。デルタ翼５の後縁は昇降蛇５ａとされている。図示例においては、昇降蛇５ａは上方に向けた所定角度に固定されているが、昇降蛇５ａは角度調整自在とされてもよい。なお、昇降蛇５ａの角度調整自在とする機構は、公知の機構を好適に用いることができる。
【００２８】
垂直翼６は、例えばデルタ翼状とされて上半部４４頂部に接合されている。
【００２９】
姿勢制御機構２は、姿勢制御糸２１と姿勢制御用門型部材２２とを含むものとされる。
【００３０】
姿勢制御用門型部材２２は、図５に示すように、対抗配置された一対のロッド２３，２３と、ロッド２３，２３の上端と係合されるリング２４とを含むものとされる。ロッド２３の下端部は内側に折り曲げられて係止部２３ａとされている。ロッド本体２３ｂと係止部２３ａとのなす角θは、係止部２３ａの抜けを防止するため、例えば８５度程度とされている。また、ロッド本体２３ｂの上部は適宜角度、例えば４５度で内側に向けて折り曲げられている。
【００３１】
姿勢制御糸２１は、一端が頭部３に設けられた係止リング３３に係止され、他端が姿勢制御用門型部材２２のリング２４に係止されるものとされる。姿勢制御糸２１の長さは、姿勢制御用門型部材２２が本体１を水平に維持できるよう調整されている。
【００３２】
図６に、仕掛け係止具７の一例を示す。
【００３３】
仕掛け係止具７は、図６に示すように、基板７１と基板７１に基端が接合されたロッド７２とを含むものとされる。基板７１には後部隔壁４３に設けられた透孔に対応した透孔７１ａが形成されている。ロッド７２の先端には仕掛けを係止するリング７２ａが形成されている。
【００３４】
次に、かかる構成とされた釣り具Ｔによる釣りの一例について説明する。
【００３５】
ステップ１：後部隔壁４３に仕掛け係止具７をボルト・ナット留めにてセットする。
【００３６】
ステップ２：姿勢制御用門型部材２２を胴４の上半部４４の透孔４４ａに係止する。この場合、本体１が水平となる透孔４４ａを選択して姿勢制御用門型部材２２を胴４に係止する。
【００３７】
ステップ３：姿勢制御用門型部材２２のリング２４に道糸Ｓを係止する。
【００３８】
ステップ４：仕掛け係止具７のロッド７２先端のリング７２ａに仕掛けを係止し、釣り針に餌を付ける。
【００３９】
ステップ５：胴４の下半部４５を開いて撒餌を詰め込む。
【００４０】
ステップ６：胴４の下半部４５を閉め、釣り具Ｔを水中に投下する。
【００４１】
ステップ７：仕掛けが水中で抵抗を受けるため、釣り具Ｔは頭部３を下にして水中を降下する。また、降下中はガイド板４６のガイド部４６ｂが水圧を受けるので、下半部４５は閉状態を維持する。つまり、降下中に撒餌が撒かれて撒餌がいたずらに消耗することはない。
【００４２】
ステップ８：所定水深に到達すると姿勢制御機構２の作用により、本体１は水平姿勢となると同時に、ガイド部４６ｂに下半部４５を閉方向に作用していた水圧もなくなるので、下半部４５が開となり撒餌が開始される。
【００４３】
ステップ９：道糸Ｓを所定量引き上げる、つまりシャクルと、水平翼５に水圧が作用し、その反力により本体１は若干斜め上方に移動する(図７参照)。例えば２０ｃｍ程度シャクルと、本体１は１ｍ程度斜め移動する。すなわち、シャクルと本体１は撒餌をしながら若干斜め上方に移動するとともに、それにつれて仕掛けも横移動する。
【００４４】
ステップ１０：撒餌につられた魚が釣り針に掛かると道糸Ｓを巻き上げる。この際、魚の抵抗などにより、本体１は下方に向けた力が作用するので、姿勢制御用門型部材２２が頭部３前方に倒れた姿勢で本体１は巻き上げられる(図８参照)。つまり、姿勢制御用門型部材２２は無用な抵抗を受けることがなく、スムーズに巻き上げがなされる。また、本体１が若干斜め上方に移動している際に魚が掛かるので、釣り針は魚の上あごに掛かる。そのため、口の柔らかいアジでもばらすおそれが少ない。なお、いわゆる差し替えにおいても、昇降舵５ａが上を向いていることや、仕掛け係止具７に作用する抵抗により、姿勢制御用門型部材２２が頭部３前方に倒れた姿勢で本体１は巻き上げられる。
【００４５】
このように、本実施形態によれば、胴４に撒餌を収納して所定の水深に到達すると撒餌が開始されるとともに仕掛けが横に走るので、集魚効果が高い。また、魚の上あごに釣り針がかかるので、ばらすおそれが少ない。さらに、胴４に撒餌を収納するので、撒餌籠を個別に設ける必用がない。
【００４６】
また、頭部３が胴４にねじ留めされているので、潮の流れに応じた重さの頭部３に交換できる。
【００４７】
以上、本発明を実施形態に基づいて説明してきたが、本発明はかかる実施形態のみに限定されるものではなく、種々改変が可能である。
【００４８】
例えば、本実施形態では、水平翼５はデルタ翼とされているが、水平翼５は水圧を受けて本体を前方に移動させることができる各種形状とすることができる。例えば、図９に示すように、翼端が切断された形状とされてもよく、あるいは翼端が上方に折り曲げられた形状とされてもよい。
【００４９】
また、垂直翼６は、図１０に示すように、上端が切断された形状とされてもよい。
【産業上の利用可能性】
【００５０】
本発明は釣り具産業に適用できる。
【符号の説明】
【００５１】
Ｔ      釣り具
Ｓ      道糸
１      本体
２      姿勢制御機構
２１    姿勢制御糸
２２    姿勢制御用門型部材
２３    ロッド
２３ａ  係止部
２３ｂ  ロッド本体
２４    リング
３      頭部
３１    前部
３２    後部
３３    係止リング
３４    ヒンジ係合部
４      胴
４１    前部隔壁
４２    胴本体
４３    後部隔壁
４４    上半部
４４ａ  透孔
４５    下半部
４５ａ  ヒンジ係合板
４６    ガイド板
４６ａ  接合部
４６ｂ  ガイド部
４６ｃ  ガイド孔
４７    ガイドロッド
５      水平翼、デルタ翼
５ａ    昇降蛇
６      垂直翼
７      仕掛け係止具
７１    基板
７１ａ  透孔
７２    ロッド
７２ａ  リング
【図１】
2014042462.tif 000003
【図２】
2014042462.tif 000004
【図３】
2014042462.tif 000005
【図４】
2014042462.tif 000006
【図５】
2014042462.tif 000007
【図６】
2014042462.tif 000008
【図７】
2014042462.tif 000009
【図８】
2014042462.tif 000010
【図９】
2014042462.tif 000011
【図１０】
2014042462.tif 000012
【手続補正書】
【提出日】平成24年8月26日(2012.8.26)
【手続補正１】
【補正対象書類名】図面
【補正対象項目名】図３
【補正方法】変更
【補正の内容】
【図３】
2014042462.tif 000013
【手続補正２】
【補正対象書類名】図面
【補正対象項目名】図４
【補正方法】変更
【補正の内容】
【図４】
2014042462.tif 000014
【手続補正３】
【補正対象書類名】図面
【補正対象項目名】図５
【補正方法】変更
【補正の内容】
【図５】
2014042462.tif 000015
【手続補正４】
【補正対象書類名】図面
【補正対象項目名】図６
【補正方法】変更
【補正の内容】
【図６】
2014042462.tif 000016
【手続補正５】
【補正対象書類名】図面
【補正対象項目名】図７
【補正方法】変更
【補正の内容】
【図７】
2014042462.tif 000017
【手続補正６】
【補正対象書類名】図面
【補正対象項目名】図８
【補正方法】変更
【補正の内容】
【図８】
2014042462.tif 000018
【手続補正７】
【補正対象書類名】図面
【補正対象項目名】図９
【補正方法】変更
【補正の内容】
【図９】
2014042462.tif 000019
【手続補正８】
【補正対象書類名】図面
【補正対象項目名】図１０
【補正方法】変更
【補正の内容】
【図１０】
2014042462.tif 000020